(57)【要約】  レンズ駆動装置（１０１）は、レンズ保持部材（２）と、ケース（４）と、板ばね（６）と、ベース部材（１８）と、駆動機構（ＭＫ）と、を備える。ベース部材（１８）は、板ばね（６）を支持する受け面（１８Ｒ）と、ケース（４）の外壁部（４Ａ）の内面（４ＡＳ）に対向する側壁面（１８Ｗ）を有する。側壁面（１８Ｗ）は、案内部として、内面（４ＡＳ）に向かって隆起する隆起部（１８Ｂ）を有する。隆起部（１８Ｂ）の一端部（１８ＢＵ）は、他端部（１８ＢＤ）よりも受け面（１８Ｒ）に近い位置に配置され、他端部（１８ＢＤ）は、外壁部（４Ａ）から露出するように配置されている。板ばね（６）は、他端部（１８ＢＤ）側に塗布され且つ一端部（１８ＢＵ）を介して受け面（１８Ｒ）と板ばね（６）との間に拡がる接着剤（ＡＤ）によって、ベース部材（１８）及びケース（４）に固定される。
2019123902.tif 000002
【特許請求の範囲】
【請求項１】
ベース部材と、
筒状の外壁部を有し且つ前記ベース部材に固定されるケースと、
レンズ体を保持可能なレンズ保持部材と、
前記ケース内に配置される前記レンズ保持部材を光軸方向に移動可能に支持する板ばねと、
前記レンズ保持部材を前記光軸方向に移動させる駆動機構と、を備えるレンズ駆動装置であって、
前記ベース部材は、前記板ばねを支持する前記光軸方向に垂直な受け面と、前記ケースにおける前記外壁部の内面に対向する側壁面と、を有し、
前記側壁面は、一端部と他端部とが前記光軸方向において異なる位置となるように形成された案内部を有し、
前記案内部の前記一端部は、前記外壁部の内側に位置するとともに前記他端部よりも前記受け面に近い位置に配置され、前記他端部は、前記外壁部から露出するように配置され、
前記板ばねは、前記他端部側に塗布され且つ前記一端部を介して前記受け面と前記板ばねとの間に拡がる接着剤によって、前記ベース部材及び前記ケースに固定されるように構成されている、
レンズ駆動装置。
【請求項２】
前記板ばねは、前記案内部の前記一端部と対向する部分に、前記受け面の縁から前記内面に向かって突出する突出部を有し、
前記一端部と前記突出部とは近接して配置されている、
請求項１に記載のレンズ駆動装置。
【請求項３】
前記突出部の幅は、前記案内部の幅よりも大きく、
前記突出部は、前記案内部の全幅を超えて延びる、
請求項２に記載のレンズ駆動装置。
【請求項４】
前記突出部と前記内面との距離は、前記受け面と前記内面との距離よりも小さい、
請求項２又は３に記載のレンズ駆動装置。
【請求項５】
前記側壁面には、前記内面に向かって隆起する隆起部が形成され、
前記隆起部は、前記案内部を構成している、
請求項１乃至４の何れかに記載のレンズ駆動装置。
【請求項６】
前記ケースの前記外壁部には、前記隆起部の両側にある前記側壁面を露出させる切欠部が形成されている、
請求項５に記載のレンズ駆動装置。
【請求項７】
前記板ばねは、前記受け面に形成されている複数の突設部が挿通される複数の貫通孔を有し、
複数の前記突設部は、かしめられるように構成されている、
請求項１乃至６の何れかに記載のレンズ駆動装置。
【請求項８】
請求項１乃至７の何れかに記載のレンズ駆動装置と、
前記レンズ体と、
前記レンズ体に対向する撮像素子と、を有する、
カメラモジュール。
【請求項９】
ベース部材と、筒状の外壁部を有し且つ前記ベース部材に固定されるケースと、レンズ体を保持可能なレンズ保持部材と、前記ケース内に配置される前記レンズ保持部材を光軸方向に移動可能に支持する板ばねと、前記レンズ保持部材を前記光軸方向に移動させる駆動機構と、を備えるレンズ駆動装置の製造方法であって、
前記板ばねと前記レンズ保持部材とを接続する工程と、
前記板ばねを支持する前記光軸方向に垂直な受け面、及び、前記ケースにおける前記外壁部の内面に対向する側壁面を有する前記ベース部材と、前記レンズ保持部材に接続された前記板ばねとを接続する工程と、
前記板ばねに接続された前記ベース部材に前記ケースを取り付ける工程と、
一端部と他端部とが前記光軸方向において異なる位置となるように前記側壁面に形成され、前記一端部が前記受け面に近接し、且つ、前記他端部が前記外壁部から露出するように構成されている案内部の前記他端部側に接着剤を塗布する工程と、
前記外壁部の内側に位置している前記一端部を介して前記受け面と前記板ばねとの間に拡がる前記接着剤によって前記板ばねと前記ベース部材と前記ケースとを固定する工程と、を有する、
レンズ駆動装置の製造方法。
【発明の詳細な説明】
【技術分野】
【０００１】
本開示は、例えばカメラ付き携帯機器に搭載されるレンズ駆動装置、レンズ駆動装置を含むカメラモジュール、及び、レンズ駆動装置の製造方法に関する。
【背景技術】
【０００２】
従来、レンズユニットを保持しているホルダ（レンズ保持部材）と、レンズ保持部材の外周に配置されるコイルと、レンズ保持部材を光軸方向に移動可能に支持する上部板ばね及び下部板ばねと、ベース部材とを含む、カメラモジュールの駆動機構が知られている（特許文献１参照。）。【０００３】
この駆動機構では、下部板ばねは接着剤を介してベース部材に接着される。具体的には、下部板ばねには位置決め孔が形成され、ベース部材にはその位置決め孔に対応する位置に接着領域が形成されている。そして、下部板ばねは、接着領域に塗布された接着剤を介してベース部材に接着される。
【先行技術文献】
【特許文献】
【０００４】
【特許文献１】特開２０１４−６２９７６号公報
【発明の概要】
【発明が解決しようとする課題】
【０００５】
しかしながら、その接着領域は、ベース部材の奥まったところに形成されているため、所望の位置に接着剤が適切に塗布されるのを困難にしている。そのため、接着剤が不適切な位置に塗布されてしまうおそれがある。【０００６】
そこで、板ばねを固定する接着剤を塗布し易いレンズ駆動装置を提供することが望ましい。
【課題を解決するための手段】
【０００７】
本発明の実施形態に係るレンズ駆動装置は、ベース部材と、筒状の外壁部を有し且つ前記ベース部材に固定されるケースと、レンズ体を保持可能なレンズ保持部材と、前記ケース内に配置される前記レンズ保持部材を光軸方向に移動可能に支持する板ばねと、前記レンズ保持部材を前記光軸方向に移動させる駆動機構と、を備えるレンズ駆動装置であって、前記ベース部材は、前記板ばねを支持する前記光軸方向に垂直な受け面と、前記ケースにおける前記外壁部の内面に対向する側壁面と、を有し、前記側壁面は、一端部と他端部とが前記光軸方向において異なる位置となるように形成された案内部を有し、前記案内部の前記一端部は、前記外壁部の内側に位置するとともに前記他端部よりも前記受け面に近い位置に配置され、前記他端部は、前記外壁部から露出するように配置され、前記板ばねは、前記他端部側に塗布され且つ前記一端部を介して前記受け面と前記板ばねとの間に拡がる接着剤によって、前記ベース部材及び前記ケースに固定されるように構成されている。
【発明の効果】
【０００８】
上述の手段により、板ばねを固定する接着剤を塗布し易いレンズ駆動装置が提供される。
【図面の簡単な説明】
【０００９】
【図１】レンズ駆動装置の分解斜視図である。
【図２Ａ】レンズ駆動装置の上方斜視図である。
【図２Ｂ】レンズ駆動装置の背面図である。
【図３Ａ】レンズ駆動装置の上面図である。
【図３Ｂ】レンズ駆動装置の底面図である。
【図４Ａ】ケースが省略された状態にあるレンズ駆動装置の上方斜視図である。
【図４Ｂ】ケースが省略された状態にあるレンズ駆動装置の左側面図である。
【図５Ａ】レンズ保持部材の上方斜視図である。
【図５Ｂ】レンズ保持部材の上方斜視図である。
【図６Ａ】レンズ保持部材の下方斜視図である。
【図６Ｂ】レンズ保持部材の下方斜視図である。
【図７Ａ】レンズ保持部材の上面図である。
【図７Ｂ】レンズ保持部材の右側面図である。
【図８Ａ】レンズ保持部材の下方斜視図である。
【図８Ｂ】レンズ保持部材の下方斜視図である。
【図９Ａ】レンズ保持部材の一部の拡大図である。
【図９Ｂ】レンズ保持部材の一部の拡大図である。
【図１０Ａ】一部の部材が省略された状態にあるレンズ駆動装置の底面図である。
【図１０Ｂ】一部の部材が省略された状態にあるレンズ駆動装置の底面図である。
【図１１Ａ】上側板ばねの上面図である。
【図１１Ｂ】下側板ばねの底面図である。
【図１２Ａ】レンズ駆動装置における板ばねとコイルとの接続の一例を説明する図である。
【図１２Ｂ】レンズ駆動装置における板ばねとコイルとの接続の一例を説明する図である。
【図１３Ａ】レンズ駆動装置のベース部材の上方斜視図である。
【図１３Ｂ】レンズ駆動装置のベース部材の上方斜視図である。
【図１４Ａ】ベース部材及び下側板ばねの背面図である。
【図１４Ｂ】ベース部材の上面図である。
【図１４Ｃ】ベース部材及び下側板ばねの断面図である。
【図１４Ｄ】ベース部材及び下側板ばねの断面図である。
【図１５Ａ】ベース部材及び下側板ばねの部分上面図である。
【図１５Ｂ】ベース部材及び下側板ばねの部分上面図である。
【図１６Ａ】ベース部材及び下側板ばねの上方斜視図である。
【図１６Ｂ】ケース、ベース部材及び下側板ばねの断面図である。
【図１７Ａ】ベース部材及び下側板ばねの上方斜視図である。
【図１７Ｂ】ケース、ベース部材及び下側板ばねの断面図である。
【図１８Ａ】ベース部材及び下側板ばねの上方斜視図である。
【図１８Ｂ】ケース、ベース部材及び下側板ばねの断面図である。
【発明を実施するための形態】
【００１０】
以下、本発明の実施形態に係るレンズ駆動装置１０１について図面を参照して説明する。図１は、レンズ駆動装置１０１の分解斜視図である。図２Ａは、レンズ駆動装置１０１の上方斜視図であり、図２Ｂは、Ｙ１側から見たレンズ駆動装置１０１の背面図である。図３Ａは、レンズ駆動装置１０１の上面図であり、図３Ｂは、レンズ駆動装置１０１の底面図である。図４Ａは、ケース４を省略した状態のレンズ駆動装置１０１の上方斜視図であり、図２Ａに対応する。図４Ｂは、Ｘ２側から見た、ケース４を省略した状態のレンズ駆動装置１０１の左側面図である。
【００１１】
レンズ駆動装置１０１は、図１に示すように、レンズ体（図示せず。）を保持可能なレンズ保持部材２と、レンズ保持部材２をレンズ体に関する光軸方向ＪＤ（Ｚ軸方向）に沿って移動させる駆動機構ＭＫと、レンズ保持部材２を光軸方向ＪＤに移動可能に支持する板ばね６と、板ばね６が固定される固定側部材ＲＧとを含む。レンズ体は、例えば、少なくとも１枚のレンズを備えた筒状のレンズバレルであり、その中心軸線が光軸方向ＪＤに沿うように構成されている。光軸方向ＪＤは、レンズ体に関する光軸の方向、及び、光軸に平行な方向を含む。
【００１２】
駆動機構ＭＫは、図１に示すように、八角環状に巻かれたコイル３と、コイル３と対向して配置された２つの磁石５とを含む。固定側部材ＲＧは、ケース４と、金属部材７が埋め込まれたベース部材１８とを含む。金属部材７は、図３Ｂに示すように、外部との電気的な接続をもたらす端子７Ａ、７Ｂ及び７Ｃを含む。板ばね６は、レンズ保持部材２とケース４との間に配置される上側板ばね１６と、レンズ保持部材２とベース部材１８との間に配置される下側板ばね２６とを含む。下側板ばね２６は、下側板ばね２６Ａ及び下側板ばね２６Ｂを含む。ケース４は、矩形環状の外壁部４Ａと、外壁部４Ａの上端（Ｚ１側の端）と連続するように設けられた平板状の上面部４Ｂとを有する。外壁部４Ａは、互いに対向する一対の第１側板部４Ａ１と、第１側板部４Ａ１に垂直で且つ互いに対向する一対の第２側板部４Ａ２とを有する。
【００１３】
レンズ駆動装置１０１は、略直方体形状を有し、撮像素子（図示せず。）を実装した基板（図示せず。）の上に取り付けられる。基板と、レンズ駆動装置１０１と、レンズ保持部材２に装着されたレンズ体と、レンズ体に対向するように基板に実装された撮像素子とはカメラモジュールを構成する。コイル３は、下側板ばね２６Ａ、２６Ｂ、端子７Ａ、７Ｂ及び基板を介して電源に接続される。コイル３に電流が流れると、駆動機構ＭＫは、光軸方向ＪＤに沿った電磁力を発生させる。
【００１４】
レンズ駆動装置１０１は、この電磁力を利用し、撮像素子のＺ１側（被写体側）で、光軸方向ＪＤに沿ってレンズ保持部材２を移動させる。レンズ駆動装置１０１は、撮像素子から離れる方向にレンズ保持部材２を移動させてマクロ撮影を可能にし、撮像素子に近づく方向にレンズ保持部材２を移動させて無限遠撮影を可能にしている。
【００１５】
次に、レンズ保持部材２と駆動機構ＭＫについて説明する。図５Ａは、レンズ保持部材２の上方斜視図であり、図５Ｂは、図５Ａのレンズ保持部材２にコイル３が巻かれた状態を示す上方斜視図である。図６Ａは、レンズ保持部材２の下方斜視図であり、図６Ｂは、図６Ａのレンズ保持部材２にコイル３が巻かれた状態を示す下方斜視図である。図７Ａは、レンズ保持部材２の上面図であり、図７Ｂは、Ｘ１側から見たレンズ保持部材２の右側面図である。図８Ａは、レンズ保持部材２の下方斜視図であり、図８Ｂは、図８Ａに示すレンズ保持部材２にコイル３が巻かれた状態を示す下方斜視図である。図９Ａは、図８Ｂに示す部分Ｓの拡大図であり、図９Ｂは、図６Ｂに示す部分Ｐの拡大図である。図１０Ａは、金属部材７及びベース部材１８が省略された状態のレンズ駆動装置１０１の底面図であり、図１０Ｂは、更に下側板ばね２６及びレンズ保持部材２が省略された状態のレンズ駆動装置１０１の底面図である。
【００１６】
本実施形態では、レンズ保持部材２は、液晶ポリマー（ＬＣＰ）等の合成樹脂を射出成形することで作製されている。具体的には、レンズ保持部材２は、図５Ａに示すように、光軸方向ＪＤに沿って貫通されるように形成された筒状部１２と、光軸方向ＪＤにおける撮像素子側（Ｚ２側）に形成されたフランジ部（鍔状部）５２とを含む。本実施形態では、筒状部１２は、光軸方向ＪＤにおける被写体側（Ｚ１側）においては、円筒状に形成されている。
【００１７】
筒状部１２には、レンズ体が装着されるように、円筒状の内周面にねじ溝が設けられていてもよい。本実施形態では、レンズ体は、接着剤によって筒状部１２に固定されている。そのため、筒状部１２にはねじ溝が形成されていない。また、筒状部１２には、被写体側の端面に窪み１２ｄｈ（図５Ａ参照。）を有した台座部１２ｄが光軸を挟んで４箇所に設けられている。台座部１２ｄには、図４Ａに示すように、上側板ばね１６の内側部分１６ｉが載置される。
【００１８】
筒状部１２の外周面には、図５Ａに示すように、コイル３を内側から支持する外壁部としてのコイル支持部１２ｊが設けられている。本実施形態では、コイル支持部１２ｊは、八角環状のコイル３を支持できるよう、上面視で八角形状の外形を有する。コイル支持部１２ｊの被写体側には、光軸方向ＪＤにおいてフランジ部５２と対向するように径方向外側に突出した庇部１２ｈ（図７Ａ及び図７Ｂ参照。）が４箇所に形成されている。そして、図５Ｂに示すように、コイル３は、コイル支持部１２ｊに支持され且つ光軸方向ＪＤにおいて庇部１２ｈとフランジ部５２との間に挟まれるようにしてレンズ保持部材２の外周面側に八角環状に巻かれている。
【００１９】
フランジ部５２は、筒状部１２の撮像素子側（Ｚ２側）における外周面から径方向外側に突出している。フランジ部５２の被写体側にはコイル３が配置されている。フランジ部５２には、図６Ｂに示すように、レンズ体の光軸を挟んで切欠部５２ｋが２つ形成されている。そして、切欠部５２ｋの一方にはコイル３の巻き始め側の線材である延在部３３Ａが通され、切欠部５２ｋの他方にはコイル３の巻き終わり側の線材である延在部３３Ｂが通されている。切欠部５２ｋを形成するフランジ部５２の縁部は、湾曲するように構成されている。縁部と接するコイル３の線材が断線するのを防止し或いは抑制するためである。
【００２０】
フランジ部５２は、図６Ａに示すように、撮像素子側（Ｚ２側）の面から下方（Ｚ２方向）に突出した、角形凸状の２つの保持部７２と、丸形凸状の６つの突設部２ｔと、３つの壁部（内側壁部８２ｕ、外側壁部８２ｖ、側壁部８２ｗ）で形成された２つの突堤部８２とを含む。
【００２１】
保持部７２は、図６Ｂに示すように、コイル３（巻回部１３）の巻き始め側に対応する保持部７２Ａと、コイル３（巻回部１３）の巻き終わり側に対応する保持部７２Ｂを含む。コイル３の両端は、保持部７２に巻き付けられて保持されている。
【００２２】
保持部７２は、望ましくは、図６Ａに示すように四角柱状である。この場合、４つの側辺のそれぞれに対応する縁のうち、線材が最初に接触する側面と２番目に接触する側面との間にある縁は望ましくは湾曲している。湾曲した縁は、コイル３の線材が保持部７２に巻き付けられる際に、その縁と接触する線材の表面に過度の力が掛かってしまうのを防止できる。なお、他の３つの縁は、エッジが立つよう（湾曲しないよう）に構成されていてもよい。
【００２３】
突設部２ｔは、図６Ａ及び図１０Ａに示すように、下側板ばね２６Ａに対応する３つの突設部２ｔと、下側板ばね２６Ｂに対応する３つ突設部２ｔとを含む。突設部２ｔには、下側板ばね２６Ａ及び下側板ばね２６Ｂのそれぞれの内側部分２６ｉが装着されて固定されている。下側板ばね２６Ａ及び下側板ばね２６Ｂのそれぞれの内側部分２６ｉの固定は、内側部分２６ｉに形成された貫通孔に挿通された突設部２ｔを熱かしめ又は冷間かしめすることによって実現される。図面では、突設部２ｔは、熱かしめ又は冷間かしめされた後の先端が変形した状態で表されている。
【００２４】
突堤部８２は、図６Ａに示すように、レンズ保持部材２の中心側に位置する内側壁部８２ｕと、内側壁部８２ｕと対向して外側に位置する外側壁部８２ｖと、保持部７２に近い側で内側壁部８２ｕと外側壁部８２ｖとの間に位置する側壁部８２ｗとを含む。保持部７２から遠い突堤部８２の側には、図９Ａに示すように、壁部が切り欠かれた開放部８２ｚが形成されている。そして、３つの壁部（内側壁部８２ｕ、外側壁部８２ｖ、側壁部８２ｗ）で囲われた空間が収容部８２ｓを形成している。収容部８２ｓは、コイル３の延在部３３Ａ、３３Ｂと下側板ばね２６Ａ、２６Ｂとを接続する導電性接着剤を収容できるように構成されている。本実施形態では、突堤部８２が保持部７２と隣り合う位置に形成されているので、保持部７２の側壁は、突堤部８２の側壁部８２ｗとして好適に利用されている。このように、収容部８２ｓは、保持部７２と隣り合う位置に設けられている。
【００２５】
次に、レンズ駆動装置１０１の駆動機構ＭＫについて説明する。駆動機構ＭＫは、図１０Ｂに示すように、コイル３と、ケース４を構成する一対の第２側板部４Ａ２のそれぞれと対向するように配置された２つの磁石５とを含む。そして、駆動機構ＭＫは、コイル３に流れる電流と磁石５が発生する磁界とで駆動力（推力）を発生させ、レンズ保持部材２を光軸方向ＪＤに沿って上下に移動させる。
【００２６】
コイル３は、図６Ｂに示すように、レンズ保持部材２の外周に導電性の線材を巻回して形成されている。コイル３は、八角環状に巻かれて形成された巻回部１３と、巻回部１３から延びて保持部７２に巻き付けられる延在部３３とを含む。図６Ｂは、明瞭化のため、巻回部１３に関しては、絶縁部材で表面を被覆された導電性の線材の詳細な巻回状態の図示を省略している。巻回部１３を図示する他の図についても同様である。
【００２７】
延在部３３は、コイル３の巻き始め側で巻回部１３の内周側に位置する巻回部１３の端部（巻き始め部分）に繋がっている延在部３３Ａと、コイル３の巻き終わり側で巻回部１３の外周側に位置する巻回部１３の端部（巻き終わり部分）に繋がっている延在部３３Ｂとを含む。
【００２８】
具体的には、延在部３３Ａは、図９Ａに示すように、保持部７２Ａに巻き付けられる巻き付け部３３ｍと、収容部８２ｓの内底面と対向して延びる接続部３３ｃと、切欠部５２ｋに挿通されてフランジ部５２の撮像素子側（Ｚ２側）から被写体側（Ｚ１側）に延びる挿通部３３ｋとを含む。延在部３３Ｂは、図９Ｂに示すように、保持部７２Ｂに巻き付けられる巻き付け部３３ｍと、収容部８２ｓの内底面と対向して延びる接続部３３ｃと、切欠部５２ｋに挿通されてフランジ部５２の撮像素子側（Ｚ２側）から被写体側（Ｚ１側）に延びる挿通部３３ｋとを含む。
【００２９】
本実施形態では、延在部３３Ａは、コイル３の線材がレンズ保持部材２の外周に巻き付けられる前に、レンズ保持部材２の保持部７２Ａに巻き付けられる。図９Ａに示す例では、コイル３の線材の一部が保持部７２Ａに３ターン巻き付けられている。これにより、巻き付け部３３ｍが保持部７２Ａに形成され、延在部３３Ａの一部が保持部７２Ａに保持される。但し、延在部３３Ａは、コイル３の線材がレンズ保持部材２の外周に巻き付けられた後で、保持部７２Ａに巻き付けられてもよい。
【００３０】
次に、レンズ保持部材２の外周に線材が巻き付けられる。その際には、図９Ａに示すように、巻き付け部３３ｍから延びる線材は、収容部８２ｓの内底面と対向するとともに、壁部が切り欠かれた開放部８２ｚを通る。そして、線材は、フランジ部５２の下側から切欠部５２ｋを通ってフランジ部５２の上側に延びる。このとき、収容部８２ｓの内底面と対向する部分が延在部３３Ａの接続部３３ｃを構成し、切欠部５２ｋを通る部分が延在部３３Ａの挿通部３３ｋを構成する。
【００３１】
延在部３３Ａの挿通部３３ｋは、フランジ部５２の下側から上側に延びる際、図９Ａに示すように、フランジ部５２の縁部に接するように構成されている。そのため、落下等により強い衝撃がレンズ駆動装置１０１に加えられた際には、コイル３の延在部３３Ａはフランジ部５２の縁部に押し付けられる。本実施形態では、フランジ部５２の縁部は湾曲するように構成されている。そのため、延在部３３Ａは、フランジ部５２の縁部で切断され難い。延在部３３Ｂと接するフランジ部５２の縁部も湾曲するように構成されていてもよい。
【００３２】
レンズ保持部材２の外周に巻回されたコイル３の巻回部１３は、図５Ｂに示すように、レンズ保持部材２の周囲を囲む位置に配置されている。また、巻回部１３は、コイル支持部１２ｊ（図５Ａ参照。）により内側から支持された状態で、庇部１２ｈとフランジ部５２に挟まれるようにして、フランジ部５２の被写体側に固定されている。また、巻回部１３の内周面がコイル支持部１２ｊにより等方的にバランス良く支持されるため、巻回部１３は、コイル３の中心軸とレンズ保持部材２の中心軸とが一致した状態で、レンズ保持部材２に保持される。したがって、レンズ保持部材２に保持されたレンズ体の光軸は、レンズ保持部材２及びコイル３のそれぞれの中心軸と容易に一致するように構成されている。
【００３３】
レンズ保持部材２の外周への線材の巻き付けが終了すると、巻回部１３の巻き終わり側の端部に繋がる延在部３３Ｂは、図９Ｂに示すように、フランジ部５２の被写体側から切欠部５２ｋを介してフランジ部５２の撮像素子側に引き出される。具体的には、挿通部３３ｋが切欠部５２ｋを通過し、接続部３３ｃが突堤部８２の開放部８２ｚを通過するとともに収容部８２ｓの内底面と対向して延び、巻き付け部３３ｍがレンズ保持部材２の保持部７２Ｂに巻き付けられる。図９Ｂに示す例では、延在部３３Ｂは、保持部７２Ｂに３ターン巻き付けられている。
【００３４】
突堤部８２には、保持部７２Ｂから遠い側に、壁部が切り欠かれた開放部８２ｚが形成されている。延在部３３Ｂの接続部３３ｃは開放部８２ｚを通って延びる。この構成により、突堤部８２と延在部３３Ｂとの干渉が回避され、レンズ保持部材２と下側板ばね２６Ｂとの間隔の増大が回避され、レンズ駆動装置１０１の寸法が光軸方向ＪＤにおいて大きくなるのが抑制され得る。
【００３５】
次に、ケース４について説明する。本実施形態では、ケース４は、オーステナイト系ステンレス鋼等の非磁性金属で形成された板材に抜き加工及び絞り加工を施して作製されている。非磁性金属で形成されているため、ケース４は、デュアルカメラ型の携帯機器等においてレンズ駆動装置１０１に隣接して別のレンズ駆動装置が配置される場合であっても、その別のレンズ駆動装置に含まれる駆動機構に磁気的な悪影響を及ぼすことはない。具体的には、ケース４は、図１に示すように、収納部４ｓを定める箱状の外形を有する。そして、ケース４は、矩形環状の外壁部４Ａと、外壁部４Ａの上端（Ｚ１側の端）と連続するように設けられた平板状の上面部４Ｂとを有する。上面部４Ｂには、磁石５と対向する部分に複数（本実施形態では４つ）の受け部が形成されている。受け部は、その上面（Ｚ１側の面）が窪むように、すなわち、その下面（Ｚ２側の面）が磁石５側（Ｚ２側）に突出するように形成されている。このように構成されたケース４は、図１０Ｂに示すように、コイル３及び磁石５を収納部４ｓに収容し、且つ、図２Ａ及び図２Ｂに示すように、ベース部材１８に結合されてベース部材１８とともに筐体を構成する。但し、ケース４は、鉄等の磁性金属で形成されたカバーで置き換えられてもよい。この場合、ケース４はヨークとして機能する。
【００３６】
次に、駆動機構ＭＫを構成する磁石５について説明する。磁石５は、図１に示すように直方体形状を有し、光軸方向ＪＤに垂直な方向（Ｘ軸方向）に延びるように配置されている。そして、２つの磁石５は、図１０Ｂに示すように、コイル３の外側に位置するとともに、ケース４を構成する一対の第２側板部４Ａ２のそれぞれに沿うように配置されている。そして、磁石５は、接着剤により、一対の第２側板部４Ａ２のそれぞれの内面に固定されている。また、磁石５は、例えば、内側がＮ極、外側がＳ極となるように配置されている。なお、磁石５は、非磁性の第１側板部４Ａ１に沿うようには配置されていない。そのため、磁石５は、デュアルカメラ型の携帯機器等においてレンズ駆動装置１０１のＸ１側又はＸ２側に隣接して別のレンズ駆動装置が配置される場合であっても、その別のレンズ駆動装置に磁気的な悪影響を及ぼすことはない。
【００３７】
次に、板ばね６及び固定側部材ＲＧについて説明する。図１１Ａ及び図１１Ｂは、板ばね６を説明する図である。図１１Ａは、上側板ばね１６の上面図であり、図１１Ｂは、下側板ばね２６の底面図である。図１２Ａ及び図１２Ｂは、下側板ばね２６Ａとコイル３との接続状態の一例を説明する図である。具体的には、図１２Ａは、図１０Ａに示す部分Ｔの拡大図であり、図１２Ｂは、図１０Ａに示す部分ＴをＸ２側から見たときの下側板ばね２６Ａ、コイル３及びレンズ保持部材２の拡大図である。なお、図１２Ａ及び図１２Ｂでは、説明を分かり易くするため、導電性接着剤ＣＡがクロスハッチングパターンで示されている。図１３Ａ及び図１３Ｂは、固定側部材ＲＧとしてのベース部材１８を説明する図である。具体的には、図１３Ａは、ベース部材１８の上方斜視図であり、図１３Ｂは、ベース部材１８に下側板ばね２６を組み付けた状態の上方斜視図である。
【００３８】
板ばね６は、銅合金を主な材料とした金属板から作製されている。板ばね６は、図１に示すように、レンズ保持部材２とケース４との間に配置される上側板ばね１６と、レンズ保持部材２とベース部材１８との間に配置される下側板ばね２６とを含む。レンズ保持部材２と板ばね６（上側板ばね１６、下側板ばね２６Ａ、下側板ばね２６Ｂ）のそれぞれとが係合された状態で、板ばね６は、レンズ保持部材２が光軸方向ＪＤ（Ｚ軸方向）へ移動可能となるように、レンズ保持部材２を空中で支持している。下側板ばね２６は、コイル３に電流を供給するための給電部材として機能する。そのため、下側板ばね２６Ａはコイル３の一端に電気的に接続され、下側板ばね２６Ｂはコイル３の他端に電気的に接続されている。上側板ばね１６とケース４との間にはスペーサ部材が配置されていてもよい。レンズ保持部材２がＺ１方向に移動したときにレンズ保持部材２とケース４とが衝突するのを防止するためである。
【００３９】
上側板ばね１６は、図１１Ａに示すように、略矩形状を有し、レンズ保持部材２に固定される可動側支持部としての内側部分１６ｉと、固定側部材ＲＧに固定される固定側支持部としての外側部分１６ｅと、内側部分１６ｉと外側部分１６ｅとの間に位置する４つの弾性腕部１６ｇとを含む。具体的には、２つの内側部分１６ｉは、中心を挟んで対向するように設けられている。外側部分１６ｅは、４つの角部分１６ｂと、４つの角部分１６ｂのうちの２つを繋ぐ２つの桟部１６ｒとを有している。桟部１６ｒは、ケース４の受け部と磁石５とで挟持されて固定される。ケース４及び磁石５は、固定側部材ＲＧとして機能する。
【００４０】
上側板ばね１６がレンズ駆動装置１０１に組み込まれた際には、図４Ａに示すように、内側部分１６ｉは、レンズ保持部材２の台座部１２ｄ（図５Ａ参照。）に載置される。そして、内側部分１６ｉと台座部１２ｄとを接着剤で固定することにより、内側部分１６ｉはレンズ保持部材２に固定される。外側部分１６ｅは、図４Ｂに示すように、磁石５の上面（Ｚ１側の面）に接し、ケース４と磁石５との間に挟持されて固定される。
【００４１】
上側板ばね１６は、図１１Ａに示すように、略左右対称に形成されている。そして、内側部分１６ｉでレンズ保持部材２に固定され、外側部分１６ｅでケース４に固定されている。そのため、上側板ばね１６は、レンズ保持部材２をバランス良く空中で支持できる。
【００４２】
下側板ばね２６Ａ及び下側板ばね２６Ｂは、図１１Ｂに示すように、それぞれの内側形状が半円形状となるように構成されている。そして、下側板ばね２６Ａ及び下側板ばね２６Ｂは、それぞれ、レンズ保持部材２の撮像素子側に固定される可動側支持部としての内側部分２６ｉと、固定側部材ＲＧに固定される固定側支持部としての外側部分２６ｅと、内側部分２６ｉと外側部分２６ｅとの間に位置する２つの弾性腕部２６ｇとを含む。
【００４３】
下側板ばね２６Ａ及び下側板ばね２６Ｂのそれぞれの内側部分２６ｉは、図１１Ｂに示すように、レンズ保持部材２と係合される３つの内側接合部分２６ｃと、３つの内側接合部分２６ｃの間を繋ぐ２つの第１連結部２６ｐと、コイル３の延在部３３と対向する接続板部２６ｈとを含む。
【００４４】
下側板ばね２６Ａ及び下側板ばね２６Ｂがレンズ駆動装置１０１に組み込まれた際には、図６Ａに示すレンズ保持部材２の６つの突設部２ｔのそれぞれは、図１１Ｂに示す下側板ばね２６Ａ及び下側板ばね２６Ｂのそれぞれの内側接合部分２６ｃに設けられた円形の貫通孔に挿通されて嵌合される。これにより、下側板ばね２６Ａ及び下側板ばね２６Ｂのそれぞれの内側部分２６ｉは、レンズ保持部材２に位置決めされ且つ固定される。下側板ばね２６Ａ及び下側板ばね２６Ｂは、例えば、レンズ保持部材２の突設部２ｔに熱かしめ又は冷間かしめを施すことで、レンズ保持部材２に固定される。
【００４５】
以下では、主に下側板ばね２６Ａとレンズ保持部材２及びコイル３との関係を説明する。但し、下側板ばね２６Ａに関する説明は、下側板ばね２６Ｂにも同様に適用される。
【００４６】
下側板ばね２６Ａの内側部分２６ｉの接続板部２６ｈは、図１２Ｂに示すように、レンズ駆動装置１０１が組み立てられた際には、レンズ保持部材２の突堤部８２と対向する。すなわち、接続板部２６ｈの被写体側（Ｚ１側）の面は、図１２Ａに示すように、突堤部８２で形成された収容部８２ｓと対向する。そして、コイル３の延在部３３Ａの接続部３３ｃは、図１２Ｂに示すように、下側板ばね２６Ａの内側部分２６ｉの被写体側の面とレンズ保持部材２のフランジ部５２の撮像素子側（Ｚ２側）の面との間を通って延びる。
【００４７】
内側部分２６ｉの接続板部２６ｈには、図１２Ａに示すように、突堤部８２の開放部８２ｚと対向する位置に、両側から切り欠かれた貫通部２６ｔが設けられ、且つ、外側壁部８２ｖと対向する位置に、Ｕ字形状（半円形状）の切欠部２６ｋが設けられている。貫通部２６ｔは、底面視で、突堤部８２の内側壁部８２ｕ及び外側壁部８２ｖのそれぞれの端部に対応する位置に設けられ、且つ、貫通部２６ｔを構成している壁端面２６ｘがこれらの端部を覆うように設けられている。この配置により、貫通部２６ｔは、導電性接着剤ＣＡが下側板ばね２６ＡのＺ１側の表面を伝ってＹ２側に広がるのを防止している。また、切欠部２６ｋは、収容部８２ｓに対応する位置に形成されている。この配置により、切欠部２６ｋは、導電性接着剤ＣＡが下側板ばね２６ＡのＺ１側の表面を伝って外側壁部８２ｖの側（Ｘ２側）に広がるのを防止している。すなわち、切欠部２６ｋは、導電性接着剤ＣＡが内側壁部８２ｕの側（Ｘ１側）に広がり易くなるようにしている。接続部３３ｃの全周囲が導電性接着剤ＣＡによって覆われるようにするためである。
【００４８】
下側板ばね２６Ａがレンズ保持部材２に組み付けられた際には、図１２Ｂに示すように、保持部７２Ａは、その先端が下側板ばね２６Ａの内側部分２６ｉの撮像素子側（Ｚ２側）に位置するように、内側部分２６ｉよりも下方（Ｚ２方向）に突出している。また、巻き付け部３３ｍの一部も内側部分２６ｉの撮像素子側（Ｚ２側）に位置するように保持部７２Ａに巻き付けられている。
【００４９】
下側板ばね２６Ａとコイル３の延在部３３Ａは、合成樹脂中に銀粒子等の導電性フィラーが分散された導電性接着剤ＣＡで電気的且つ機械的に接続されている。具体的には、下側板ばね２６Ａをレンズ保持部材２に組み込む前に、レンズ保持部材２の突堤部８２で囲まれた収容部８２ｓに導電性接着剤ＣＡが充填され、その後、下側板ばね２６Ａがレンズ保持部材２に装着される。そして、レンズ保持部材２の突設部２ｔが熱かしめ又は冷間かしめされ、且つ、導電性接着剤ＣＡが熱硬化される。導電性接着剤ＣＡの収容部８２ｓへの充填から導電性接着剤ＣＡの熱硬化までは、保持部７２が鉛直上方に突出するようにレンズ保持部材２が逆さまにされた状態で行われる。そのため、導電性接着剤ＣＡは、流動性を有する場合であっても、所望の位置（収容部８２ｓ内の位置）に適切に保持され得る。そして、接続部３３ｃの一部は、収容部８２ｓ内に配置されているため、導電性接着剤ＣＡ内に埋設される。なお、導電性接着剤ＣＡは、熱硬化型に限らず、紫外線硬化型のものであってもよい。
【００５０】
また、下側板ばね２６Ａとコイル３の延在部３３Ａは、導電性接着剤ＣＡではなく、半田付けで電気的に接続されていてもよい。この場合、半田は、下側板ばね２６ＡのＺ２側に配置され、下側板ばね２６Ａと延在部３３Ａとを電気的に接続する。
【００５１】
下側板ばね２６Ａの外側部分２６ｅは、図１１Ｂに示すように、ベース部材１８と係合される２つの外側接合部分２６ｄを含む。本実施形態では、小型化のため、２つの外側接合部分２６ｄを繋ぐ連結部材が省略されている。下側板ばね２６Ａの外側接合部分２６ｄに設けられた貫通孔は、ベース部材１８の上面に設けられた突設部１８ｔ（図１３Ａ参照。）と嵌合する。これにより、下側板ばね２６Ａの外側部分２６ｅは、ベース部材１８に位置決めされ且つ固定される。
【００５２】
下側板ばね２６Ａ及び下側板ばね２６Ｂは、図１１Ｂに示すように、略左右対称に形成されている。そして、下側板ばね２６Ａは、３つの内側接合部分２６ｃでレンズ保持部材２に接続され、２つの外側接合部分２６ｄでベース部材１８に接続されている。本実施形態では、下側板ばね２６Ａは、外側接合部分２６ｄ１のところで溶接により金属部材７を介してベース部材１８に接続され、外側接合部分２６ｄ２のところで熱硬化型の接着剤によりベース部材１８に接続される。下側板ばね２６Ｂについても同様である。この構成により、下側板ばね２６Ａ及び下側板ばね２６Ｂは、レンズ保持部材２を光軸方向ＪＤへ移動可能な状態でバランス良く空中で支持することができる。
【００５３】
次に、固定側部材ＲＧについて説明する。固定側部材ＲＧは、上側板ばね１６を固定するケース４及び磁石５と、下側板ばね２６Ａ及び下側板ばね２６Ｂのそれぞれを固定するベース部材１８とを含む。
【００５４】
ベース部材１８は、液晶ポリマー等の合成樹脂を用いた射出成形によって作製される。本実施形態では、ベース部材１８は、図１３Ａに示すように、矩形板状の外形を有する部材であり、中央に円形の開口１８ｋが形成されている。また、ベース部材１８の被写体側（Ｚ１側）の面（上面）には、上方に向けて突出する６つの突設部１８ｔが設けられている。突設部１８ｔは、下側板ばね２６Ａ及び下側板ばね２６Ｂのそれぞれにおける外側接合部分２６ｄに設けられた円形状の貫通孔に挿通され且つ嵌合される。この際、突設部１８ｔは熱かしめ又は冷間かしめが施されて外側接合部分２６ｄに固定される。なお、図１３Ａ及び図１３Ｂでは、突設部１８ｔは、熱かしめ又は冷間かしめされた後の先端が変形した状態で表されている。図１４以降の図面においても同様である。
【００５５】
具体的には、ベース部材１８は、図１３Ａに示すように、受け面１８Ｒと側壁面１８Ｗとを有する。下側板ばね２６を支持する受け面１８Ｒは、光軸方向ＪＤに垂直な面であり、６つの部分に分割されている。側壁面１８Ｗは、ケース４を構成する外壁部４Ａの内面４ＡＳ（図１参照。）に対向する４つの面である。下側板ばね２６Ａ及び下側板ばね２６Ｂのそれぞれは、図１１Ｂに示すように、受け面１８Ｒに形成されている複数の突設部１８ｔが挿通される貫通孔を有し、それら複数の突設部１８ｔは、熱かしめ又は冷間かしめが施されるように構成されている。すなわち、柱状の突設部１８ｔの先端部は、潰された状態となり、当初の柱状の部分が占めていた範囲よりも径方向外側に拡がるように構成されている。
【００５６】
また、下側板ばね２６は、熱かしめ又は冷間かしめによって突設部１８ｔが外側接合部分２６ｄに固定された後で、溶接及び接着剤によってベース部材１８に固定される。具体的には、外側接合部分２６ｄ１は、溶接によって金属部材７を介してベース部材１８に固定され、外側接合部分２６ｄ２は、熱硬化型の接着剤によってベース部材１８に固定される。
【００５７】
より具体的には、図１１Ｂに示すように、下側板ばね２６Ａが金属部材７に溶接される部分である外側接合部分２６ｄ１には突設部１８ｔが挿通される１つの貫通孔が形成され、下側板ばね２６Ａが接着剤でベース部材１８に接着される外側接合部分２６ｄ２には突設部１８ｔが挿通される２つの貫通孔が形成されている。外側接合部分２６ｄ２に１つの貫通孔のみが形成されている場合、接着剤が塗布されるまでは或いは接着剤が剥がれてしまうと、下側板ばね２６Ａは、その１つの貫通孔に挿通され且つかしめられる突設部１８ｔの回りで回転し或いは平行移動してしまう場合がある。外側接合部分２６ｄ２に形成されている２つの貫通孔は、この回転及び平行移動を抑制し或いは防止する効果をもたらす。但し、外側接合部分２６ｄ２に形成される貫通孔は１つであってもよい。
【００５８】
ベース部材１８には、図１３Ａに示すように、銅若しくは鉄又はそれらを主成分とする合金等の材料を含む金属から形成された金属部材７がインサート成形されて埋め込まれている。金属部材７は、端子７Ａ及び端子７Ｂを含み、端子７Ａ及び端子７Ｂのそれぞれは、露出部７Ａ１、７Ｂ１のところでベース部材１８の上面（Ｚ１側の面）に露出している。そして、互いに電気的に絶縁されている端子７Ａ及び端子７Ｂのそれぞれは、撮像素子を実装した基板（図示せず。）に電気的に接続されている。また、端子７Ａは溶接等により露出部７Ａ１で下側板ばね２６Ａに電気的に接続され、端子７Ｂは溶接等により露出部７Ｂ１で下側板ばね２６Ｂに電気的に接続されている。更に、下側板ばね２６Ａはコイル３の一端に電気的に接続され、下側板ばね２６Ｂはコイル３の他端に電気的に接続されている。そのため、コイル３は、端子７Ａ、端子７Ｂと下側板ばね２６Ａ、２６Ｂとを介して電流の供給を受けることができる。
【００５９】
ベース部材１８には、端子７Ａ、７Ｂと同様に、銅若しくは鉄又はそれらを主成分とする合金等の材料を含む金属から形成された接続部材７Ｄもインサート成形されて埋め込まれている。接続部材７Ｄは、図２Ａに示すように、ケース４の四隅の下端部に対向するように、ベース部材１８から一部を露出させている。ベース部材１８は、ケース４の外壁部４Ａの内面４ＡＳ（図１参照。）とベース部材１８の側壁面１８Ｗとが組み合わさって位置決めされた後で、接続部材７Ｄとケース４の四隅の下端部とが溶接されてケース４に固定される。外壁部４Ａの下面（Ｚ２側の端面）は、ベース部材１８のフランジ部１８Ｆ（図１３Ａ参照。）の上面（Ｚ１側の端面）と接するように構成されている。なお、接続部材７Ｄは、端子７Ｃと繋がっている。
【００６０】
次に、図１４Ａ〜図１４Ｄ、図１５Ａ、図１５Ｂ、図１６Ａ、図１６Ｂ、図１７Ａ、図１７Ｂ、図１８Ａ及び図１８Ｂを参照し、ケース４とベース部材１８と下側板ばね２６Ａとの接着について説明する。
【００６１】
図１４Ａ〜図１４Ｄは、ベース部材１８及び下側板ばね２６Ａの図である。図１４Ａは、Ｙ１方向から見たベース部材１８及び下側板ばね２６Ａの背面図であり、ケース４を構成する外壁部４Ａの輪郭の一部を追加的に破線で示している。図１４Ｂは、図１３Ａの部分Ｑの拡大上面図に対応し、外壁部４Ａの断面の一部を追加的に斜線ハッチングパターンで示している。図１４Ｂでは、明瞭化のため、下側板ばね２６Ａの図示が省略されている。図１４Ｃは、図１４Ａにおける線分Ｌ１を含むＹＺ平面をＸ１側から見たときの断面を示す。図１４Ｄは、図１４Ａにおける線分Ｌ２を含むＹＺ平面をＸ２側から見たときの断面を示す。なお、図１４Ｃ及び図１４Ｄでは、外壁部４Ａの一部が図示されている。
【００６２】
図１５Ａ及び図１５Ｂは、ベース部材１８及び下側板ばね２６Ａの部分上面図である。図１５Ａは、図１３Ｂの部分Ｒの拡大上面図である。図１５Ｂは、図１５Ａの部分Ｕの拡大図であり、ケース４を構成する外壁部４Ａの内面４ＡＳの一部を追加的に一点鎖線で示している。また、図１５Ａ及び図１５Ｂでは、明瞭化のため、下側板ばね２６Ａの上面（Ｚ１側の面）は、ドットパターンで表されている。図１６Ａ〜図１８Ａについても同様である。なお、図１５Ｂにおいては、下側板ばね２６Ａの一部（突出部２６ｄｔ）はドットパターンではなく、クロスハッチングパターンで表されている。
【００６３】
図１６Ａ〜図１８Ａ及び図１６Ｂ〜図１８Ｂは、ベース部材１８の側壁面１８Ｗに塗布された接着剤ＡＤが下側板ばね２６Ａに向かって拡がる様子を示す。図１６Ａ〜図１８Ａは、ベース部材１８及び下側板ばね２６Ａの角部の上方斜視図である。図１６Ａ〜図１８Ａでは、明瞭化のため、ケース４の図示が省略されている。図１６Ｂ〜図１８Ｂは、ケース４、ベース部材１８及び下側板ばね２６Ａの断面図であり、図１４Ｃに対応する。図１６Ａ〜図１８Ａ及び図１６Ｂ〜図１８Ｂでは、接着剤ＡＤは、クロスハッチングパターンで表され、図１６Ａ、図１７Ａ、図１８Ａの順、及び、図１６Ｂ、図１７Ｂ、図１８Ｂの順で拡がっていく。また、図１６Ｂは図１６Ａに対応し、図１７Ｂは図１７Ａに対応し、図１８Ｂは図１８Ａに対応する。接着剤ＡＤは、実際には、レンズ駆動装置１０１が組み立てられた状態、すなわち、ケース４がベース部材１８に取り付けられた状態で、且つ、ケース４のＹ１側の面を鉛直上方に向けた状態で側壁面１８Ｗに塗布される。例えば、作業者は、図２Ｂに示すようにＹ１側の第２側板部４Ａ２の表面を真上から見下ろす状態で側壁面１８Ｗに接着剤ＡＤを塗布する。接着剤ＡＤは、例えば、絶縁性の熱硬化型接着剤である。
【００６４】
ベース部材１８を構成する４つの側壁面１８Ｗのうちの１つ（Ｙ１側の面）は、図１４Ａに示すように、ケース４の内面４ＡＳに向かって隆起する２つの隆起部１８Ｂ（１８Ｂ１、１８Ｂ２）を有する。図１４Ａでは、２つの隆起部１８Ｂ（１８Ｂ１、１８Ｂ２）は、ドットパターンで表されている。
【００６５】
隆起部１８Ｂ１の一端部１８ＢＵは、他端部１８ＢＤよりも受け面１８Ｒに近い位置に配置されている。すなわち、一端部１８ＢＵは、ケース４を構成する外壁部４Ａで覆われるように、且つ、受け面１８Ｒに隣り合うように近接して配置されている。そして、他端部１８ＢＤは、ケース４を構成する外壁部４Ａから露出するように配置されている。このように、隆起部１８Ｂ１は、光軸方向ＪＤに延在するように１つの側壁面１８Ｗに形成されている。そのため、隆起部１８Ｂ１は、他端部１８ＢＤ側に塗布された接着剤ＡＤを、一端部１８ＢＵ側、すなわち、受け面１８Ｒ側へ導く案内部としての機能を果たす。また、光軸方向ＪＤにおいて他端部１８ＢＤとは異なる高さに位置する一端部１８ＢＵは、ケース４の外壁部４Ａの内側に配置されている。すなわち、隆起部１８Ｂ１の一端部１８ＢＵは、内面４ＡＳと対向するように配置されている。隆起部１８Ｂ２についても同様である。
【００６６】
また、ケース４を構成する外壁部４Ａには、図１４Ａに示すように、隆起部１８Ｂの両側にある側壁面１８Ｗの一部を露出させる切欠部４ｋが形成されている。接着剤ＡＤは、切欠部４ｋを介して露出している側壁面１８Ｗの一部（隆起部１８Ｂの一部を含む。）に塗布される。この構成により、側壁面１８Ｗの一部に塗布された接着剤ＡＤは、外壁部４Ａに覆われている隆起部１８ＢのＸ１側及びＸ２側に入り込むことができる。
【００６７】
具体的には、接着剤ＡＤは、図１６Ａ及び図１６Ｂに示すように隆起部１８Ｂ１のところ（他端部１８ＢＤ、及び、他端部１８ＢＤに隣り合う部分）に塗布されると、ケース４を構成する外壁部４Ａの内面４ＡＳとベース部材１８の側壁面１８Ｗとの間の空間（隙間）に流れ込む。本実施形態では、側壁面１８Ｗのうち、他端部１８ＢＤに隣接する部分は、図１４Ｃに示すように、Ｚ２側からＺ１側に向かって下り勾配で傾斜している。この下り勾配は、接着剤ＡＤが内面４ＡＳと側壁面１８Ｗとの間の空間に入り込むのを促進している。
【００６８】
その後、接着剤ＡＤは、その表面張力（毛細管現象）により、図１７Ａ及び図１７Ｂに示すように隆起部１８Ｂ１の両側にある側壁面１８Ｗに沿って下側板ばね２６Ａに近づくように拡がる。すなわち、隆起部１８Ｂ１は、外壁部４Ａの内面４ＡＳとベース部材１８の側壁面１８Ｗとの間で接着剤ＡＤが毛細管現象等によって拡がることができるような隙間を確保する機能を有する。また、隆起部１８Ｂ１は、他端部１８ＢＤ側から受け面１８Ｒに近接して位置する一端部１８ＢＵ側へ接着剤ＡＤを導く案内部としての機能を有する。
【００６９】
下側板ばね２６Ａは、図１５Ｂに示すように、隆起部１８Ｂ１の一端部１８ＢＵと対向する部分に、受け面１８Ｒの縁から、ケース４を構成する外壁部４Ａの内面４ＡＳに向かって突出する突出部２６ｄｔを有する。図１５Ｂは、下側板ばね２６Ａを支持する受け面１８Ｒの縁を破線で示し、その縁から突出する突出部２６ｄｔをクロスハッチングパターンで示している。突出部２６ｄｔは、図１１Ｂに示すように、下側板ばね２６Ａが金属部材７に溶接される部分である外側接合部分２６ｄ１の反対側にある外側接合部分２６ｄ２に設けられている。突出部２６ｄｔは、隆起部１８Ｂ１の側面（Ｘ１側の面及びＸ２側の面）に沿いながら下側板ばね２６Ａに向かって移動する接着剤ＡＤが下側板ばね２６Ａに付着し易くなるように配置されている。すなわち、突出部２６ｄｔは、隆起部１８Ｂ１の一端部１８ＢＵに近接して配置されている。
【００７０】
本実施形態では、突出部２６ｄｔは、図１５Ｂに示すように、内面４ＡＳと突出部２６ｄｔとの距離Ｇ１が、受け面１８Ｒと内面４ＡＳとの距離Ｇ２よりも小さくなるように構成されている。この構成により、突出部２６ｄｔは、隆起部１８Ｂに沿って突出部２６ｄｔに近づく接着剤ＡＤを、より確実に下側板ばね２６Ａに付着させることができる。その結果、接着剤ＡＤは、下側板ばね２６Ａの下側（Ｚ２側）に入り込むことができる。この段階では、下側板ばね２６Ａは、Ｚ軸方向に微動できるためである。また、下側板ばね２６Ａは、距離Ｇ１を小さくすることで、内面４ＡＳと突出部２６ｄｔとの間の空間が接着剤ＡＤで埋められるようにする。図１８Ｂは、内面４ＡＳと突出部２６ｄｔと間の空間が接着剤ＡＤで埋められた状態を示している。その結果、ケース４と下側板ばね２６Ａとが接着剤で直接的に接着され、ケース４に関する下側板ばね２６Ａの相対移動がより確実に防止される。なお、本実施形態では、距離Ｇ１は７０〜１１０μｍ程度であり、距離Ｇ２は１５０〜２００μｍ程度である。
【００７１】
また、突出部２６ｄｔの幅Ｗ１は、隆起部１８Ｂ１の幅Ｗ２よりも大きくなるように構成されている。また、突出部２６ｄｔは、隆起部１８Ｂ１の全幅を超えて延びるように構成されている。すなわち、突出部２６ｄｔのＸ１側の端部は、隆起部１８Ｂ１のＸ１側の端部よりもＸ１側に位置し、且つ、突出部２６ｄｔのＸ２側の端部は、隆起部１８Ｂ１のＸ２側の端部よりもＸ２側に位置するように構成されている。この構成により、下側板ばね２６Ａは、隆起部１８Ｂ１のＸ１側に沿って突出部２６ｄｔに近づく接着剤ＡＤ、及び、隆起部１８Ｂ１のＸ２側に沿って突出部２６ｄｔに近づく接着剤ＡＤを確実に突出部２６ｄｔに付着させることができる。
【００７２】
また、本実施形態では、受け面１８Ｒと側壁面１８Ｗとの間には縁面１８Ｃが形成されている。縁面１８Ｃは、光軸方向ＪＤに垂直な面であり、図１４Ｃに示すように、受け面１８ＲよりもＺ２側に形成されている。すなわち、受け面１８Ｒは、縁面１８ＣよりもＺ１側に突出している。縁面１８Ｃに対する受け面１８ＲのＺ１側への突出量は、例えば、４０〜６０μｍ程度である。また、受け面１８Ｒと縁面１８Ｃとの間には湾曲面が形成されている。この構成により、ベース部材１８は、隆起部１８Ｂ１に沿って突出部２６ｄｔに近づく接着剤ＡＤを下側板ばね２６Ａの下側（Ｚ２側）に入り込ませることができる。その結果、下側板ばね２６Ａの下側（Ｚ２側）に入り込んだ接着剤ＡＤは、下側板ばね２６Ａの下面（Ｚ２側の面）に沿って拡がることができる。
【００７３】
具体的には、接着剤ＡＤは、図１８Ａ及び図１８Ｂに示すようにベース部材１８の縁面１８Ｃを横切って突出部２６ｄｔに付着し、下側板ばね２６Ａとベース部材１８に形成された受け面１８Ｒとの間に入り込む。図１８Ａでは、下側板ばね２６Ａと受け面１８Ｒとの間に入り込んだ接着剤ＡＤは、下側板ばね２６Ａと受け面１８Ｒとの間に入り込んでいない接着剤ＡＤとの区別のため、別のクロスハッチングパターンで表されている。
【００７４】
このように、接着剤ＡＤは、隆起部１８Ｂ１の他端部１８ＢＤ側に塗布され、且つ、隆起部１８Ｂ１の一端部１８ＢＵ側を介して受け面１８Ｒと下側板ばね２６Ａとの間に拡がり、ケース４とベース部材１８と下側板ばね２６Ａとを接着する。
【００７５】
したがって、加熱によって硬化した接着剤ＡＤは、案内部である隆起部１８Ｂ１の他端部１８ＢＤ側から受け面１８Ｒと下側板ばね２６Ａとの間に至るまで連続するように設けられたものとなる。ベース部材１８のＸ１側に配置される下側板ばね２６Ｂの接着に関しても同様である。そのため、下側板ばね２６Ｂの接着に関する説明は省略される。なお、ケース４及びベース部材１８のそれぞれに対する下側板ばね２６Ｂの接着は、隆起部１８Ｂ２（図１４Ａ参照。）を介して行われる。
【００７６】
上述のように、本発明の実施形態に係るレンズ駆動装置１０１は、ベース部材１８と、筒状の外壁部４Ａを有し且つベース部材１８に固定されるケース４と、レンズ体を保持可能なレンズ保持部材２と、ケース４内に配置されるレンズ保持部材２を光軸方向ＪＤに移動可能に支持する板ばね６と、レンズ保持部材２を光軸方向ＪＤに移動させる駆動機構ＭＫと、を備える。ベース部材１８は、光軸方向ＪＤに垂直な受け面１８Ｒと、ケース４における外壁部４Ａの内面４ＡＳに対向する側壁面１８Ｗと、を有する。受け面１８Ｒは、板ばね６としての下側板ばね２６Ａ及び下側板ばね２６Ｂを支持する。側壁面１８Ｗは、接着剤ＡＤを受け面１８Ｒ側へ導く案内部として、内面４ＡＳに向かって隆起する隆起部１８Ｂを有する。隆起部１８Ｂの一端部１８ＢＵは、外壁部４Ａの内側に位置するとともに、他端部１８ＢＤよりも受け面１８Ｒに近い位置に配置されている。他端部１８ＢＤは、外壁部４Ａから露出するように配置されている。下側板ばね２６Ａは、隆起部１８Ｂの他端部１８ＢＤ側に塗布され且つ隆起部１８Ｂの一端部１８ＢＵ側を介して受け面１８Ｒと下側板ばね２６Ａとの間に拡がる接着剤ＡＤによって、ベース部材１８及びケース４に固定されるように構成されている。下側板ばね２６Ｂについても同様である。この構成により、レンズ駆動装置１０１を組み立てる作業者は、ベース部材１８にケース４が被せられた状態で接着剤ＡＤを塗布することができる。そのため、レンズ駆動装置１０１が小型化されても、作業者は、ケース４と板ばね６とベース部材１８とを接着剤ＡＤで容易に接着できる。また、ケース４とベース部材１８との接着に用いる接着剤と、板ばね６とベース部材１８との接着に用いる接着剤とが共通化され得る。そのため、作業者は、ケース４とベース部材１８との接着に用いる接着剤を利用して板ばね６とベース部材１８とを接着させることができる。これは、製造工程の簡素化をもたらし得る。
【００７７】
下側板ばね２６Ａは、隆起部１８Ｂの一端部１８ＢＵと対向する部分に、受け面１８Ｒの縁から内面４ＡＳに向かって突出する突出部２６ｄｔを有していてもよい。この場合、一端部１８ＢＵと突出部２６ｄｔとは近接して配置される。この構成により、内面４ＡＳと下側板ばね２６Ａとの距離が小さくなるため、隆起部１８Ｂの他端部１８ＢＤ側に塗布され且つ隆起部１８Ｂの側面に沿って隆起部１８Ｂの一端部１８ＢＵ側まで移動した接着剤ＡＤは、突出部２６ｄｔのところで下側板ばね２６Ａに容易に付着できる。下側板ばね２６Ｂについても同様である。
【００７８】
また、例えば図１５Ｂに示すように、突出部２６ｄｔは、隆起部１８Ｂの全幅を超えて延びるように構成されていてもよい。この場合、突出部２６ｄｔの幅Ｗ１は、隆起部１８Ｂの幅Ｗ２よりも大きい。この構成により、隆起部１８Ｂの両側を伝って隆起部１８Ｂの一端部１８ＢＵ側まで移動した接着剤ＡＤは、突出部２６ｄｔのところで下側板ばね２６Ａに容易に付着できる。下側板ばね２６Ｂについても同様である。
【００７９】
また、例えば図１５Ｂに示すように、突出部２６ｄｔは、突出部２６ｄｔと内面４ＡＳとの距離Ｇ１が受け面１８Ｒと内面４ＡＳとの距離Ｇ２よりも小さくなるように構成されていてもよい。この構成により、隆起部１８Ｂに沿って隆起部１８Ｂの一端部１８ＢＵまで移動した接着剤ＡＤは、突出部２６ｄｔの下面（Ｚ２側の面）に容易に付着できる。そのため、接着剤ＡＤは、ベース部材１８の受け面１８Ｒと下側板ばね２６Ａとの間に容易に入り込むことができる。そして、受け面１８Ｒと下側板ばね２６Ａとの間に入り込んだ接着剤ＡＤは、その表面張力（毛細管現象）により、図１８Ａ及び図１８Ｂに示すように、受け面１８Ｒ及び下側板ばね２６Ａの下面（Ｚ２側の面）に沿って拡がることができる。下側板ばね２６Ｂについても同様である。
【００８０】
ケース４の外壁部４Ａには、図１４Ａに示すように、隆起部１８Ｂの両側にある側壁面１８Ｗを露出させる切欠部４ｋが形成されていてもよい。この構成により、接着剤ＡＤを塗布する作業者は、隆起部１８Ｂの両側に接着剤ＡＤを供給できる。
【００８１】
下側板ばね２６Ａは、図１３Ｂに示すように、受け面１８Ｒに形成されている複数の突設部１８ｔが挿通される複数の貫通孔を有していてもよい。そして、複数の突設部１８ｔは、かしめられるように構成されていてもよい。この構成により、下側板ばね２６Ａが接着剤ＡＤでベース部材１８に固定される前の工程で、下側板ばね２６Ａがベース部材１８に関して回転したり平行移動したりしてしまうのが抑制される。下側板ばね２６Ｂについても同様である。
【００８２】
また、本発明の実施形態に係るレンズ駆動装置の製造方法は、下側板ばね２６とレンズ保持部材２とを接続する工程と、ベース部材１８とレンズ保持部材２に接続された下側板ばね２６とを接続する工程と、下側板ばね２６に接続されたベース部材１８にケース４を取り付ける工程と、案内部としての隆起部１８Ｂの他端部１８ＢＤ側に接着剤ＡＤを塗布する工程と、隆起部１８Ｂの一端部１８ＢＵ側を介して受け面１８Ｒと下側板ばね２６Ａとの間に拡がる接着剤ＡＤによって下側板ばね２６とベース部材１８とケース４とを固定する工程と、を有する。この方法により、レンズ駆動装置１０１を製造する作業者は、ベース部材１８にケース４が被せられた状態で接着剤ＡＤを塗布することができる。そのため、作業者は、ケース４と板ばね６とベース部材１８とを接着剤ＡＤで容易に接着できる。また、ケース４とベース部材１８との接着に用いる接着剤と、板ばね６とベース部材１８との接着に用いる接着剤とが共通化され得る。そのため、作業者は、ケース４とベース部材１８との接着に用いる接着剤を利用して板ばね６とベース部材１８とを接着させることができる。
【００８３】
以上、本発明の好ましい実施形態について詳説した。しかしながら、本発明は、上述した実施形態に制限されることはない。上述した実施形態は、本発明の範囲を逸脱することなしに、種々の変形及び置換が適用され得る。また、上述の実施形態を参照して説明された特徴のそれぞれは、技術的に矛盾しない限り、適宜に組み合わされてもよい。
【００８４】
例えば、上記実施形態では、保持部７２がレンズ保持部材２（フランジ部５２）の一端部から光軸方向ＪＤに突出するように構成されているが、この構成に限定されるものではない。保持部７２は、光軸方向ＪＤとは異なる方向（例えば側方）に突出していてもよい。
【００８５】
また、上記実施形態では、フランジ部５２には、コイル３の延在部３３を通す切欠部５２ｋが２つ設けられているが、コイル３の巻回部１３を保持可能であれば、３つ以上の切欠部が設けられていてもよい。
【００８６】
また、上記実施形態では、接着剤ＡＤをベース部材１８の受け面１８Ｒ側へ導く案内部は、側壁面１８Ｗから隆起する隆起部１８Ｂによって構成されているが、これに限るものではない。案内部は、例えば、ケース４の外壁部４Ａの内面４ＡＳから遠ざかるように側壁面１８Ｗに形成された凹部であってもよい。この凹部は、望ましくは、隆起部１８Ｂの場合と同様に、光軸方向ＪＤに沿って延びるように形成される。但し、凹部の一端部と他端部とが光軸方向ＪＤにおける異なる位置に存在しているのであれば、凹部は、光軸方向ＪＤに平行に直線状に延びる必要はない。この点は、隆起部１８Ｂの場合も同様である。
【００８７】
本願は、２０１７年１２月１９日に出願した日本国特許出願２０１７−２４２９５６号に基づく優先権を主張するものであり、この日本国特許出願の全内容を本願に参照により援用する。
【符号の説明】
【００８８】
２・・・レンズ保持部材  ２ｔ・・・突設部  ３・・・コイル  ４・・・ケース  ４Ａ・・・外壁部  ４Ａ１・・・第１側板部  ４Ａ２・・・第２側板部  ４ＡＳ・・・内面  ４Ｂ・・・上面部  ４ｋ・・・切欠部  ４ｓ・・・収納部  ５・・・磁石  ６・・・板ばね  ７・・・金属部材  ７Ａ、７Ｂ、７Ｃ・・・端子  ７Ｄ・・・接続部材  ７Ａ１、７Ｂ１・・・露出部    １２・・・筒状部  １２ｄ・・・台座部  １２ｄｈ・・・窪み  １２ｈ・・・庇部  １２ｊ・・・コイル支持部  １３・・・巻回部  １６・・・上側板ばね  １６ｂ・・・角部分  １６ｅ・・・外側部分  １６ｇ・・・弾性腕部  １６ｉ・・・内側部分  １６ｒ・・・桟部  １８・・・ベース部材  １８Ｂ、１８Ｂ１、１８Ｂ２・・・隆起部  １８ＢＤ・・・他端部  １８ＢＵ・・・一端部  １８Ｃ・・・縁面  １８Ｆ・・・フランジ部  １８ｋ・・・開口  １８Ｒ・・・受け面  １８ｔ・・・突設部  １８Ｗ・・・側壁面    ２６、２６Ａ、２６Ｂ・・・下側板ばね  ２６ｃ・・・内側接合部分  ２６ｄ、２６ｄ１、２６ｄ２・・・外側接合部分  ２６ｄｔ・・・突出部  ２６ｅ・・・外側部分  ２６ｇ・・・弾性腕部  ２６ｈ・・・接続板部  ２６ｉ・・・内側部分  ２６ｋ・・・切欠部  ２６ｐ・・・第１連結部    ２６ｔ・・・貫通部  ２６ｘ・・・壁端面  ３３、３３Ａ、３３Ｂ・・・延在部  ３３ｃ・・・接続部  ３３ｋ・・・挿通部  ３３ｍ・・・巻き付け部    ５２・・・フランジ部  ５２ｋ・・・切欠部    ７２、７２Ａ、７２Ｂ・・・保持部  ８２・・・突堤部  ８２ｓ・・・収容部  ８２ｕ・・・内側壁部  ８２ｖ・・・外側壁部  ８２ｗ・・・側壁部  ８２ｚ・・・開放部  １０１・・・レンズ駆動装置  ＡＤ・・・接着剤  ＣＡ・・・導電性接着剤  ＪＤ・・・光軸方向  ＭＫ・・・駆動機構  ＲＧ・・・固定側部材  
【図１】
2019123902.tif 000003
【図２Ａ】
2019123902.tif 000004
【図２Ｂ】
2019123902.tif 000005
【図３Ａ】
2019123902.tif 000006
【図３Ｂ】
2019123902.tif 000007
【図４Ａ】
2019123902.tif 000008
【図４Ｂ】
2019123902.tif 000009
【図５Ａ】
2019123902.tif 000010
【図５Ｂ】
2019123902.tif 000011
【図６Ａ】
2019123902.tif 000012
【図６Ｂ】
2019123902.tif 000013
【図７Ａ】
2019123902.tif 000014
【図７Ｂ】
2019123902.tif 000015
【図８Ａ】
2019123902.tif 000016
【図８Ｂ】
2019123902.tif 000017
【図９Ａ】
2019123902.tif 000018
【図９Ｂ】
2019123902.tif 000019
【図１０Ａ】
2019123902.tif 000020
【図１０Ｂ】
2019123902.tif 000021
【図１１Ａ】
2019123902.tif 000022
【図１１Ｂ】
2019123902.tif 000023
【図１２Ａ】
2019123902.tif 000024
【図１２Ｂ】
2019123902.tif 000025
【図１３Ａ】
2019123902.tif 000026
【図１３Ｂ】
2019123902.tif 000027
【図１４Ａ】
2019123902.tif 000028
【図１４Ｂ】
2019123902.tif 000029
【図１４Ｃ】
2019123902.tif 000030
【図１４Ｄ】
2019123902.tif 000031
【図１５Ａ】
2019123902.tif 000032
【図１５Ｂ】
2019123902.tif 000033
【図１６Ａ】
2019123902.tif 000034
【図１６Ｂ】
2019123902.tif 000035
【図１７Ａ】
2019123902.tif 000036
【図１７Ｂ】
2019123902.tif 000037
【図１８Ａ】
2019123902.tif 000038
【図１８Ｂ】
2019123902.tif 000039
【国際調査報告】
2019123902.tif 000040
2019123902.tif 000041
2019123902.tif 000042
2019123902.tif 000043